(57)【特許請求の範囲】
【請求項１】
受信可能な全ＤＡＢ信号の周波数をサーチして記憶しておき、ＤＡＢ信号の選局操作により、前記記憶してある周波数のうち受信電界強度が設定値以上の周波数に同調してＤＡＢ信号を受信するＤＡＢ受信機の受信方法において、
受信中ＤＡＢ放送信号の高速情報チャネルに含まれるデータを用いて車両が所在する地域を求め、
車両が別の地域に進入したとき、受信可能な全ＤＡＢ信号の周波数サーチを指示する信号を出力する、
ことを特徴とするＤＡＢ信号受信方法。
【請求項２】
受信電界強度が設定値以上のＤＡＢ信号を受信するＤＡＢ受信機において、
受信可能な全ＤＡＢ信号の周波数をサーチするサーチ手段、
前記サーチされた受信可能な全ＤＡＢ信号の周波数を記憶する記憶手段、
ＤＡＢ信号の選局操作により、前記記憶手段に記憶してある周波数に同調してＤＡＢ信号を受信すると共に、受信中ＤＡＢ放送信号の高速情報チャネルに含まれるデータを用いて車両が所在する地域を求め、車両が別の地域に進入したとき、受信可能な全ＤＡＢ信号の周波数サーチを指示する信号を出力する制御手段、
を備えたことを特徴とするＤＡＢ受信機。
【発明の詳細な説明】
【０００１】
【発明の属する技術分野】
本発明はＤＡＢ信号受信方法及びＤＡＢ受信機に係わり、特に、受信可能な全ＤＡＢ信号の周波数をサーチして記憶しておき、ＤＡＢ信号の選局操作により、該記憶してある周波数に同調してＤＡＢ信号を受信するＤＡＢ信号受信方法及びＤＡＢ受信機に関する。
【０００２】
【従来の技術】
今日、デジタル・オーディオはその優れた特性と使いやすさが一般に認められ、急速に普及してきている。このような背景から、オーディオ放送のデジタル化の動きが活発になってきており、デジタルオーディオ放送ＤＡＢ（Ｄｉｇｉｔａｌ      Ａｕｄｉｏ  Ｂｒｏａｄｃａｓｔｉｎｇ）が欧州で実現化されつつある。
【０００３】
図６はＤＡＢシステムにおいて採用されるモードＩＩのＤＡＢ放送信号フレーム構造であり、１フレーム長は２４ｍｓであり、２シンボルの同期部ＳＹＮＣと、３シンボルの高速情報チャネル部ＦＩＣ（Ｆａｓｔ  Ｉｎｆｏｒｍａｔｉｏｎ  Ｃｈａｎｎｅｌ）と、７２シンボルのメインサービスチャネルＭＳＣ（Ｍａｉｎ  Ｓｅｒｖｉｃｅ  Ｃｈａｎｎｅｌ）を備えている。同期部ＳＹＮＣは、フレームの開始点を認識するため等に使用するヌルシンボルと位相基準シンボルＰＲＳを含んでいる。高速情報チャネル部ＦＩＣは３シンボルの高速情報ブロックＦＩＢ１〜ＦＩＢ３  （ＦＩＢ：  Ｆｉｒｓｔ  Ｉｎｆｏｒｍａｔｉｏｎ  Ｂｌｏｃｋ）を備え、
▲１▼サービス・ラベル、
▲２▼サービスコンポーネントラベル、
▲３▼サービス配列データ、
▲４▼プログラムタイプコードＰＴＹ  （Ｐｒｏｇｒａｍ  ｔｙｐｅ  ｃｏｄｅ）
等、様々な情報を含んでいる。
【０００４】
メインサービスチャネルＭＳＣは７２個のデータフィールド（シンボル）に区分され、それぞれのデータフィールドには所定のサービス（番組）の放送信号が挿入され、１つの放送局から同時に６乃至８サービス（番組）の放送信号が送信できるようになっている。どのデータフィールドにどのサービスが対応するかは、高速情報チャネル部ＦＩＣに含まれるサービスの配列データで指定される。
高速情報チャネルＦＩＣの各高速情報ブロックＦＩＢ１〜ＦＩＢ３は、図示するように階層構造を備え、ＦＩＧ  ｔｙｐｅ  （Ｆａｓｔ  Ｉｎｆｏｒｍａｔｉｏｎ  Ｇｒｏｕｐ  Ｔｙｐｅ）  １３１とＥｘｔｅｎｓｉｏｎ    １４１で特定される  ｄａｔａ  ｆｉｅｌｄ  １４２に所定のデータを挿入するようになっている。すなわち、各高速情報ブロックＦＩＢ１〜ＦＩＢ３は、２５６ビット（３０バイト）のＦＩＢデータフィールド（ＦＩＢ  ｄａｔａ  ｆｉｅｌｄ）  １１１とＣＲＣ  １１２で構成され、ＦＩＢデータフィールド
１１１は複数のＦＩＧ  １２１〜１２３を含む構成になっている。
【０００５】
各ＦＩＧ  （Ｆａｓｔ  Ｉｎｆｏｒｍａｔｉｏｎ  Ｇｒｏｕｐ）  １２１〜１２３はそれぞれ、（１）  ＦＩＧ  ｔｙｐｅ（  ＦＩＧのタイプ）１３１、（２）  Ｌｅｎｇｔｈ  （ＦＩＧ  ｄａｔａ  ｆｉｅｌｄのバイト長）１３２、（３）  ＦＩＧ  ｄａｔａ  ｆｉｅｌｄ  １３３で構成され、  ＦＩＧ  ｄａｔａ  ｆｉｅｌｄ  １３３には、▲１▼Ｅｘｔｅｎｓｉｏｎ  １４１（ＦＩＧの拡張識別番号）や▲２▼  ｄａｔａ  ｆｉｅｌｄ  １４２が含まれている。ｄａｔａ  ｆｉｅｌｄ  １４２には、サービス・ラベル、サービス・コンポーネントラベル、サービス配列データ、プログラムタイプコードＰＴＹ、サポートするアナウンスメントタイプ、地域毎の放送局リスト等種々のデータが挿入されるようになっている。
以上では１．５ＧＨｚ帯を使用する衛星放送用のモードＩＩのフレーム構成を示したが、５０ＭＨｚ〜２５０ＭＨｚの周波数帯を使うモードＩのフレーム構造もほぼ同様の構成を備え、１フレーム長は９６ｍｓになっている。
【０００６】
図７はＤＡＢ送信機の構成図であり、１ａ〜１ｍはアナログオーディオ信号（各サービスの音声信号）をＭＰＥＧオーディオデータに高能率符号化するデータ圧縮部である。２ａ〜２ｍは伝送路符号化部であり、誤り／検出訂正符号を付加するもの、３は多重化部であり、サービス配列データに従って各伝送路符号化部２ａ〜２ｍの出力データを所定のデータフィールド（シンボル）にマッピングして時分割多重するものである。４はインターリーブ／ＯＦＤＭ変調部であり、  ＩＤＦＴ（離散フーリエ逆変換）によりＯＦＤＭ（Ｏｒｔｈｏｇｏｎａｌ  Ｆｒｅｑｕｅｎｃｙ          Ｄｉｖｉｓｉｏｎ  Ｍｕｔｉｐｌｅｘ）変調を行い、又、所定の形式に従ってシンボル内の多重信号の順番を再配置することによってインターリーブを行う。すなわち、ＯＦＤＭ変調部は、各シンボル（位相基準シンボル、データシンボル）を２ビットづつＮ組に分け、各組の第１データを実数部、第２データを虚数部として差動符号化し、差動符号の実数部、虚数部を順次フーリエ逆変換部に入力してＩＤＦＴ処理することによりベースバンドの変調波を出力する。
５はインターリーブ／ＯＦＤＭ変調部より出力される実数部、虚数部をアナログ信号に変換し、それぞれに送信ローカル周波数ｆｃのｃｏｓ波、ｓｉｎ波を乗算し、乗算結果を合成して直交変換する直交変調部、６は直交変調により得られた送信搬送波をＲＦ信号に変換する周波数変換部、７は送信電力増幅器である。
【０００７】
図８はＤＡＢ受信機の構成図である。１１はアンテナ、１２は所望のＤＡＢ放送信号波を受信し、直交復調してベースバンドアナログ信号を出力するＤＡＢ用ＲＦ信号復調部、１３はベースバンドアナログ信号を所定サンプリング周波数でデジタルデータに変換するＡＤ変換器、１４はＦＦＴ復調処理、差動復号処理等を行って高能率符号データ（ＭＰＥＧオーディオデータ）を復元／出力する伝送路復号化回路、１５はＭＰＥＧオーディオデータを元のＰＣＭオーディオデータに復号するオーディオ復号化部、１６はＰＣＭオーディオデータをアナログオーディオ信号に変換するＤＡコンバータ、１７は受信機全体を制御する制御部、１８は表示部１８ａ、操作部１８ｂを備えた操作／表示部である。
【０００８】
５０ＭＨｚ〜２５０ＭＨｚのモードＩのＤＡＢ用ＲＦ信号復調部１２は、図示するようにチューナ部１２ａ及び直交復調部１２ｂで構成されるが、モードＩＩ，  ＩＩＩでは１．５ＧＨｚ帯を用いているためダウンコンバータが必要である。チューナ部１２ａはＤＡＢ信号電波を受信してＩＦ信号に変換するもので、フロントエンド１２ａ−１と、所望のＤＡＢ放送周波数に応じた局部発振周波数信号を出力するＰＬＬ回路（局部発振回路）１２ａ−２で構成されている。直交復調部１２ｂはアナログＩＦ信号よりベースバンド信号のＩ（ｔ），Ｑ（ｔ）を再生して出力する。
【０００９】
伝送路復号化回路１４は、ＦＦＴ差動復調部１４ａ、選択復号化部１４ｂ、デインターリーブ部１４ｃ等を備えている。ＦＦＴ差動復調部１４ａはＡＤコンバータ１３から出力されるデジタルデータＩ（ｍ），Ｑ（ｍ）にＦＦＴ処理、差動復号処理を施してインターリーブされた送信データを復調する。デインターリーブ１４ｃはＦＦＴ差動復調部の出力データからインターリーブを解いて元のデータ列に戻し、選択復号化部１４ｂはデインターリーブされたデータに誤り検出訂正処理を施し、高速情報チャネル部ＦＩＣの内容を制御部１７に入力する。制御部１７は高速情報チャネル部ＦＩＣに含まれるサービス配列データに基づいてユーザが指定したサービス（番組）のシンボル位置を検出し、選択復号化部１４ｂに通知する。選択復号化部１４ｂは通知されたシンボルの復号データ（ＭＰＥＧオーディオデータ）をオーディオ復号化部１５に出力する。オーディオ復号化部１５は入力されたＭＰＥＧオーディオデータを元のＰＣＭオーディオデータに変換して出力する。又、制御部１７は高速情報チャネルＦＩＣに含まれるラベル（番組名）をユーザの要求に応じて適宜、操作部に送って表示する。
【００１０】
図９は従来のシーク選局の処理フローであり、図１０はシーク選局動作説明図である。ＤＡＢ信号（アンサンブル）周波数は、１６ｋＨｚの倍数の周波数間隔で配置するようになっている（図１０の矢印）。しかし、現在のところ、ＤＡＢ放送局（ＤＡＢ−１〜ＤＡＢ−３）は少なく、使用周波数が少ない。
ＤＡＢ放送を受信している際に、操作部１８ｂ上のシークキーが操作されると、制御部１７は現受信周波数よりΔｆ（＝１６ｋＨｚ）大きい隣接局周波数を受信周波数とみなし、ＰＬＬ回路を該周波数に応じた局部発振周波数で発振させる（ステップ１０１）。ついで、図示しない受信電界強度検出部で受信電界強度Ｅを測定し（ステップ１０２）、該受信電界強度Ｅが設定レベルＥｓ以上かチェックする（ステップ１０３）。
【００１１】
Ｅ≧Ｅｓであれば、図示しない同期回路により同期制御を行い、その出力信号ＳＹＮを参照して同期がとれたかチェックし（ステップ１０４，１０５）、同期ＯＫであれば、シーク選局を終了する。しかし、ステップ１０３において受信電界強度Ｅが設定レベルＥｓ以下（Ｅ＜Ｅｓ）であり、あるいは、ステップ１０５において同期がＮＧの場合には、ステップ１０１に戻り、制御部１７は現受信周波数よりΔｆ大きい隣接局周波数を受信周波数とみなして以降の処理を繰り返す。そして、最終的に所定周波数のＤＡＢ放送信号を受信してシークを終了する。
尚、現在ヨーロッパで放送される可能性のある周波数として、６４種類が定義されているから、１６ｋＨＺ間隔でシークせず、予め既知の６４種類の周波数をシーク対象周波数として図９の処理を行うこともできる。。
【００１２】
【発明が解決しようとする課題】
ＤＡＢ放送システムでは、１６ｋＨｚの倍数の周波数にＤＡＢ放送周波数を配置するようになっており、現在ヨーロッパで放送される可能性のある周波数として６４種類が定義されている。しかし、実際にＤＡＢ放送しているＤＡＢ放送局数は少ない。すなわち、実際に使用されているＤＡＢ放送周波数は少ない。このため、実際に使用されているＤＡＢ放送周波数間の周波数間隔は大きく、その間に多数の未使用ＤＡＢ放送周波数が存在することになる。
【００１３】
このため、シーク選局操作後、別のＤＡＢ放送信号を受信するまでに相当の時間がかかり、出力音声が途切れている時間が長くなり、ユーザに不快感を与える問題がある。具体的には、一つの周波数に同調して受信可／不可を検出するために約０．５〜２秒程度を要する。このため、ユーザが現在受信中のＤＡＢ放送と異なる周波数のＤＡＢ放送をシーク選局する場合、放送されている可能性のあるＤＡＢ周波数を全て順に検索しなければならず、シーク選局に膨大な時間がかかる。又、このようにシーク選局に時間を要するのであるから、当然、所望の番組をシーク操作で選択するまでには更に長時間を必要とする問題がある。以上より、本発明の目的は、シーク選局に要する時間、所望の番組を選局するまでに要する時間を短縮できるＤＡＢ信号受信方法及びＤＡＢ受信機を提供することである。
【００１４】
【課題を解決するための手段】
上記課題は本発明によれば、受信可能な全ＤＡＢ信号の周波数をサーチするサーチ手段、前記サーチされた受信可能な全ＤＡＢ信号の周波数を記憶する記憶手段、ＤＡＢ信号の選局操作により、前記記憶手段に記憶してある周波数に同調してＤＡＢ信号を受信すると共に、受信中ＤＡＢ放送信号の高速情報チャネルに含まれるデータを用いて車両が所在する地域を求め、車両が別の地域に進入したとき、受信可能な全ＤＡＢ信号の周波数サーチを指示する信号を出力する制御手段、を備えたＤＡＢ受信機により達成される。
【００１５】
このようにすれば、周波数サーチのタイミングをユーザに通知することができ、ユーザは適時に周波数サーチを行うことができる。この結果、頻繁に周波数サーチを行うことがなくなりＤＡＢ放送音声を出力する時間を長くでき、しかも、周波数情報が陳腐化することがなくなり、シーク選局操作により確実にＤＡＢ信号をシークして受信できる。
【００１６】
【発明の実施の形態】
（ａ）ＤＡＢ受信機の構成
図１は本発明のＤＡＢ受信機の構成図である。
１１はアンテナ、１２は所望のＤＡＢ放送信号波を受信し、ＩＦ信号を直交復調してベースバンドアナログ信号Ｉ（ｔ），Ｑ（ｔ）を出力するＤＡＢ用ＲＦ信号復調部、１３はベースバンドアナログ信号を所定サンプリング周波数でデジタルデータＩ（ｍ），Ｑ（ｍ）に変換するＡＤ変換器、１４はＦＦＴ復調処理、差動復号処理等を行って高能率符号データ（ＭＰＥＧオーディオデータ）を復元／出力する伝送路復号化回路、１５はＭＰＥＧオーディオデータを元のＰＣＭオーディオデータに復号するオーディオ復号化部、１６はＰＣＭオーディオデータをアナログオーディオ信号に変換するＤＡコンバータ、１７は受信機全体を制御する制御部、１８は操作／表示部であり、表示部１８ａ、操作部１８ｂを備え、操作部には選局用のシークキーＳＫ、受信可能な全ＤＡＢ信号周波数のサーチを指示するサーチキーＦＬＳＫが設けられている。１９は受信電界強度検出部（ＲＳＳＩ：Ｒｅｃｅｉｖｅ  Ｓｉｇｎａｌ  Ｓｔｒｅｎｇｔｈ  Ｉｎｄｉｃａｔｏｒ）であり、ＩＦ信号あるいはベースバンド信号より受信電界強度Ｅを検出して制御部１７に入力する。
【００１７】
制御部１７はプロセッサ（ＣＰＵ）１７ａ、プログラムを記憶するＲＯＭ１７ｂ、ＲＡＭ１７ｃを備え、ＲＡＭ１７ｃには、周波数受信履歴記憶部２１と周波数ブロックテーブル２２が設けられている。周波数受信履歴記憶部２１には、周波数受信履歴が記憶され、周波数ブロックテーブル２２にはＤＡＢ放送される可能性がある周波数を示すデータ群（例えば、ヨーロッパの６４種類の周波数データ群）が記憶される。
【００１８】
モードＩのＤＡＢ用ＲＦ信号復調部１２は、図示するようにチューナ部１２ａ及び直交復調部１２ｂで構成されるが、モードＩＩ，  ＩＩＩでは１．５ＧＨｚ帯を用いているためダウンコンバータが必要である。チューナ部１２ａはＤＡＢ信号電波を受信してＩＦ信号に変換するもので、フロントエンド１２ａ−１と、所望のＤＡＢ放送周波数に応じた局部発振周波数信号を出力するＰＬＬ回路（局部発振回路）１２ａ−２で構成されている。直交復調部１２ｂはアナログＩＦ信号よりベースバンド信号Ｉ（ｔ）、Ｑ（ｔ）を出力する。
【００１９】
伝送路復号化回路１４は、ＦＦＴ差動復調部１４ａ、選択復号化部１４ｂ、デインターリーブ部１４ｃ、同期用プロセッサ１４ｄを備えている。ＦＦＴ差動復調部１４ａはＡＤコンバータ１３から出力されるデジタルデータＩ（ｍ），Ｑ（ｍ）にＦＦＴ処理、差動復号処理を施してインターリーブされた送信データを復調する。デインターリーブ１４ｃはＦＦＴ差動復調部の出力データからインターリーブを解いて元のデータ列に戻し、選択復号化部１４ｂはデインターリーブされたデータに誤り検出訂正処理を施し、高速情報チャネル部ＦＩＣの内容を制御部１７に入力する。
制御部１７は高速情報チャネル部ＦＩＣに含まれるサービス配列データに基づいてユーザが指定したサービス（番組）のシンボル位置を検出し、選択復号化部１４ｂに通知する。選択復号化部１４ｂは通知されたシンボルの復号データ（ＭＰＥＧオーディオデータ）をオーディオ復号化部１５に出力する。又、オーディオ復号化部１５は入力されたＭＰＥＧオーディオデータを元のＰＣＭオーディオデータに変換して出力する。又、制御部１７は高速情報チャネルＦＩＣに含まれるラベル（番組名）をユーザの要求に応じて適宜、操作部に送って表示する。
【００２０】
同期プロセッサ１４ｄは、ヌルシンボル検出後に同期シンボルのＦＦＴ処理を行い、入力信号の周波数オフセットを計算し、ＡＦＣ信号を直交復調部１２ｂに送り、基準周波数を調整する。又、同期プロセッサ１４ｄは同期シンボルのＦＦＴ結果と、オリジナルな同期シンボルとの相関（ずれ量）を求め、その結果を逆ＦＦＴ処理し、伝送路のインパルス応答ＣＩＲ（ｃｈａｎｎｅｌ  Ｉｍｐｕｌｓｅ  Ｒｅｓｐｏｎｓｅ）を出力する。ＦＦＴ差動復調部１４ａはＦＦＴの窓信号を作成する際にこのＣＩＲ信号を用いる。又、同期用プロセッサは同期が不可能な場合（ヌルシンボルの検出不能等）にはハイレベルの信号ＳＹＮを制御部１７に入力する。
【００２１】
（ｂ）周波数受信履歴
図２は、周波数受信履歴記憶部２１に記憶される周波数受信履歴の説明図である。周波数受信履歴記憶部２１には、最新に受信したｎ種類のＤＡＢ放送信号の周波数情報ＦＣＩが記憶できるようになっており、各周波数情報ＦＣＩは、▲１▼ＤＡＢ放送周波数、▲２▼ＤＡＢ伝送モード（ＤＡＢの伝送フォーマットを識別するためのモードで、モードＩ，ＩＩ，ＩＩＩ，ＩＶがある）、▲３▼更新時刻を有している。
最初、ＤＡＢ受信機が受信可能な全ＤＡＢ放送信号周波数をサーチして周波数受信履歴記憶部２１に記憶する。以後、今まで受信していたＤＡＢ信号の周波数と異なるＤＡＢ信号を受信すれば、周波数受信履歴情報（周波数情報）を更新し、あるいは、追加記憶する。すなわち、周波数受信履歴記憶部２１に記憶されている周波数と同一周波数のＤＡＢ信号を受信した場合には、更新処理により更新時刻を現時刻で書き換え、周波数受信履歴記憶部２１に記憶されている周波数と異なる周波数のＤＡＢ信号を受信した場合には該周波数について周波数情報を新たに作成して記憶する。ＮＯ．１、ＮＯ２・・・の順は、例えば、周波数順に並べておけば、従来のＦＭ／ＡＭラジオと同様に違和感無く操作を行うことができる。記憶領域がいっぱいになった場合には、更新時刻を示すデータを用いて、最も古い周波数情報を削除して、新しい周波数情報を記入する。従って、周波数受信履歴記憶部２１にストアされている周波数順にＤＡＢ周波数をシークすれば、容易に放送されているＤＡＢ放送を受信することができ、しかも、所望の番組を受信できるようになる。
【００２２】
（ｃ）ＤＡＢ周波数検索処理
図３は本発明のＤＡＢ周波数検索処理フローである。尚、シークは周波数が低い方から高い方へ行い、最高周波数に到達後は最低周波数からシークを行うものとする。
まず、シークキーＳＫの操作により、ユーザが他のＤＡＢ放送信号の受信（シーク選局）を指示したかチェックする（ステップ１０１）。シーク選局が指示されてなければ、サーチキーＦＬＳＫが操作されたかチェックする（ステップ１０２）。操作されてなければ、はじめに戻る。
【００２３】
一方、サーチキーＦＬＳＫが操作されていれば、周波数ブロックテーブル２２より最初の周波数をロードし（ステップ１０３）、該周波数のＤＡＢ放送信号を受信すべくＰＬＬ回路１２ａ−２を該周波数に応じた局部発振周波数で発振させる（ステップ１０４）。ついで、ＤＡＢ信号を検出できたかチェックする（ステップ１０５）。すなわち、受信電界強度検出部１９から出力される受信電界強度Ｅを測定し、該受信電界強度Ｅが設定レベルＥｓ以上かチェックする。Ｅ≧Ｅｓであれば、同期プロセッサ１４ｄにより同期制御を行い、その出力信号ＳＹＮを参照して同期がとれたかチェックし、同期ＯＫであれば「ＤＡＢ信号の検出ができた」と判定する。しかし、Ｅ＜Ｅｓあるいは同期がとれていなければ「ＤＡＢ信号の検出ができない」と判定する。
【００２４】
ＤＡＢ信号の検出ができれば、ＤＡＢ信号周波数が周波数受信履歴記憶部２１に記憶されているか調べ、記憶されていれば更新時刻を現時刻で書き替える。しかし、記憶されていなければ、周波数受信履歴記憶部２１の空き領域に周波数情報（周波数／伝送モード／更新時刻）を記入する。この場合、空き領域がなければ、周波数受信履歴記憶部２１に記憶されている周波数情報のうち最も古いものを探し、その上に上記新たな周波数情報を書き込む（ステップ１０６）。
しかる後、あるいは、ステップ１０５において、ＤＡＢ信号の検出ができない場合には、周波数ブロックテーブル２２に次の周波数が残存しているかチェックし（ステップ１０７）、存在していれば、該次の周波数のＤＡＢ放送信号を受信すべくＰＬＬ回路１２ａ−２を該周波数に応じた局部発振周波数で発振させ（ステップ１０８）、ステップ１０５以降の処理を繰り返す。
以上の処理が継続し、周波数ブロックテーブル２２に周波数が残存しなくなれば、表示部１８ａにサーチ処理完了を表示する（ステップ１０９）。
以上により、周波数受信履歴記憶部２１に受信可能なＤＡＢ信号周波数が保存される。
【００２５】
ステップ１０１において、シーク選局操作が行われると、周波数受信履歴記憶部２１に周波数受信履歴（周波数情報）ＦＣＩが存在するかチェックし（ステップ１１１）、存在しなければ、シーク選局可能なＤＡＢ信号周波数が存在しない旨を表示部１８ａに表示してシーク動作を終了する（ステップ１１２）。すなわち、周波数受信履歴記憶部２１に周波数情報ＦＣＩが存在しないとシークができない。このため、サーチ操作により周波数情報を周波数受信履歴記憶部２１に保持させる必要がある。
ステップ１１１において周波数情報が存在すれば、周波数情報の中からＤＡＢ受信機の現受信周波数より大きく、かつ、現受信周波数に最も近い周波数を求め、求めた周波数のＤＡＢ信号の受信が可能となるように局部発振周波数を制御する（ステップ１１３）。
【００２６】
ついで、ＤＡＢ信号を検出できたかチェックする（ステップ１１４）。ＤＡＢ信号の検出ができれば、周波数受信履歴記憶部２１の周波数情報（周波数／伝送モード／受信時刻）を更新してシーク選局を完了し（ステップ１１５）、次のユーザ操作を待つ。
シーク選局した番組にユーザが満足しなければ、再度シーク選局操作が行われるからステップ１０１以降の処理を繰り返す。しかし、シーク選局した番組にユーザが満足すれば、該番組を聴き続けることになる。
一方、ステップ１１４においてＤＡＢ信号の検出ができなかった場合には、周波数受信履歴記憶部２１に次の周波数情報（周波数）が存在するかチェックし（ステップ１１６）、存在すれば該周波数のＤＡＢ信号の受信が可能となるように局部発振周波数を制御し（ステップ１１７）、ステップ１１４に戻り以降の処理を繰り返す。
【００２７】
ＤＡＢ信号の検出ができれば、周波数受信履歴記憶部２１の周波数情報（周波数／伝送モード／受信時刻）を更新し（ステップ１１５）、次のユーザ操作を待つ。しかし、ＤＡＢ信号の検出ができない場合には再度ステップ１１６の処理を繰り返す。ＤＡＢ信号の検出ができずに、周波数受信履歴記憶部２１に次の周波数情報（周波数）が存在しなくなれば、ステップ１１２の処理を繰り返しシークを終了する。すなわち、一巡しても、ＤＡＢ信号の検出ができなければシークを終了する。これは、周波数受信履歴記憶部２１の周波数情報（周波数／伝送モード／受信時刻）が陳腐化して使い物にならないことを意味している。従って、適宜、サーチにより周波数受信履歴記憶部２１の周波数情報を更新しておく必要がある。
【００２８】
（ｄ）変形例１
以上のように、周波数受信履歴記憶部２１の周波数情報の陳腐化を防止するために、ＤＡＢを受信していない場合（例えば、ＣＤ／カセットテープ／ＦＭ／ＡＭラジオをユーザが聞いている場合）、バックグラウンドで自動的に受信可能な全てのＤＡＢ放送の周波数を検索し、検索結果に基づいて周波数受信履歴記憶部２１の周波数情報を更新するように構成する。すなわち、ＣＤプレーヤやカセットテープ、ＦＭ／ＡＭラジオ等のＤＡＢ以外のオーディオソースが選択された時、自動的に図３のステップ１０３〜１０８の処理を行うようにする。
【００２９】
（ｅ）変形例２
サーチキーＦＬＳＫを操作して受信可能なＤＡＢ信号の周波数サーチをする場合、頻繁に周波数サーチを行うとその間ＤＡＢ放送の音声を出力できず、一方、適時に周波数サーチを行わないと、周波数受信履歴記憶部２１の周波数情報が陳腐化してシーク選局がうまくできない。そこで、周波数サーチのタイミングをユーザに通知できるようにすれば便利である。
ＤＡＢ放送信号の高速情報チャネルＦＩＣに含まれるデータ（地域別放送局情報）を用いると車両が所在する地域（Ｒｅｇｉｏｎ）を求めることができる。地域別放送局情報より求まる地域が異なると、受信可能なＤＡＢ放送信号の周波数も異なる。そこで、車両が別の地域に進入したことを地域別放送局情報を用いて検出し、該検出時点において周波数サーチを指示するようにする。
【００３０】
（ｅ−１）  地域別放送局情報
図４は本発明の周波数サーチ起動信号発生の処理フロー、図５は高速情報チャネルＦＩＣに含まれる地域別放送局情報説明図である。
地域別放送局情報は、図５に示すようにＦＩＧ  ０／１１  で特定されるｄａｔａ  ｆｉｅｌｄに挿入され、複数の地域識別情報（Ｒｅｇｉｏｎ  Ｉｄｅｎｔｉｆｉｃａｔｉｏ）３０１，３０２，・・・，３０３を備えている。各地域識別情報  ３０１〜３０３は、▲１▼ＧＡＴｙ  （Ｇｅｏｇｒａｐｈｉｃａｌ  Ａｒｅａ  Ｔｙｐｅ）  ３１１、▲２▼地域識別子（ＲｅｇｉｏｎＩｄ）  ３１２、▲３▼Ｇｅｏｇｒａｐｈｉｃａｌ  Ａｒｅａ情報３１３を備え、Ｇｅｏｇｒａｐｈｉｃａｌ  Ａｒｅａ情報３１３は複数のＴｒａｎｓｍｉｔｔｅｒ  Ｇｒｏｕｐ  ３２１〜３２４を有している。各  Ｔｒａｎｓｍｉｔｔｅｒ  Ｇｒｏｕｐ  ３２１〜３２４は、▲１▼Ｔｒａｎｓｍｉｔｔｅｒ  Ｇｒｏｕｐ  の識別子（ＭａｉｎＩｄ）３３１、▲２▼ＳｕｂＩｄ
ｌｉｓｔの長さ３３２、▲３▼ＳｕｂＩｄ  ｌｉｓｔ  ３３３で構成され、ＳｕｂＩｄ  ｌｉｓｔ  ３３３には複数の
ｔｒａｎｓｍｉｔｔｅｒのサブ識別子（ＳｕｂＩｄ）３４１〜３４２が含まれている。以上よりＦＩＧ  ０／１１のデータフィールドを参照することにより、Ｒｅｇｉｏｎ  Ｉｄ  ３１２で特定される地域に属する全送信機（ｔｒａｎｓｍｉｔｔｅｒ）の（ＭａｉｎＩｄ＋ＳｕｂＩｄ）を得ることができる。
【００３１】
一方、ＤＡＢ放送ではＤＡＢ放送信号のヌル期間情報から送信機（Ｔｒａｎｓｍｉｔｔｅｒ）のＭａｉｎＩｄとＳｕｂＩｄを認識できるようになっている。従って、
▲１▼ＤＡＢ信号を受信してそのヌル期間情報よりＤＡＢ信号送信機（ＤＡＢ放送局）のＭａｉｎＩｄとＳｕｂＩｄを認識し、しかる後、
▲２▼ＤＡＢ信号の高速情報チャネルＦＩＣに含まれＦＩＧ  ０／１１のデータフィールドより前記認識したＭａｉｎＩｄとＳｕｂＩｄを有する地域識別子ＲｅｇｉｏｎＩｄを求めれば、該地域識別子ＲｅｇｉｏｎＩｄが現在ＤＡＢ受信機（車両）が属する地域Ｒｅｇｉｏｎを示すことになる。
【００３２】
（ｅ−２）  周波数サーチ起動信号発生の処理
現在受信中のＤＡＢ信号のヌル期間情報よりＤＡＢ信号送信機（ＤＡＢ放送局）のＭａｉｎＩｄとＳｕｂＩｄを認識する（ステップ２０１）。ついで、高速情報チャネルＦＩＣより地域別放送局情報を取得し（ステップ２０２）、この地域別放送局情報より現車両が属する地域（ｒｅｉｇｉｏｎ）の地域識別子（ＲｅｇｉｏｎＩｄ）を求める（ステップ２０３）。ついで、それまで保持しているＲｅｇｉｏｎ  Ｉｄと一致するかチェックする（ステップ２０４）。
一致する場合には、はじめに戻って以降の処理を繰り返し、一致しない場合には、周波数サーチ開始を指示する信号を発生して表示部の表示ランプを点灯し（ステップ２０５）、保持している現地域のＲｅｇｉｏｎ  Ｉｄを更新し（ステップ２０６）、以後、はじめに戻って以降の処理を繰り返す。
ユーザはランプの点灯により周波数サーチをすべきタイミングを知り、適時にサーチキーＦＬＳＫを操作し、受信可能なＤＡＢ信号の周波数をサーチして周波数受信履歴記憶部２１の内容を更新する。
以上、本発明を実施例により説明したが、本発明は請求の範囲に記載した本発明の主旨に従い種々の変形が可能であり、本発明はこれらを排除するものではない。
【００３３】
【発明の効果】
以上本発明によれば、予め受信可能な全ＤＡＢ信号の周波数をサーチして記憶しておき、ＤＡＢ信号の選局操作により前記記憶してある周波数に同調してＤＡＢ信号を受信するようにしたから、シーク選局に要する時間を大幅に短縮でき、しかも、所望の番組を選局するまでに要する時間を短縮できるようになった。
本発明によれば、受信ＤＡＢ放送信号の高速情報チャネルに含まれるデータを用いて車両が所在する地域を求め、車両が別の地域に進入したとき、受信可能な全ＤＡＢ信号の周波数サーチを指示する信号を出力するようにしたから、周波数サーチのタイミングをユーザに通知することができる。これにより、適時に周波数サーチをおこなえるため、頻繁に周波数サーチを行うことがなくなりＤＡＢ放送音声を出力する時間を長くでき、しかも、周波数情報が陳腐化することがなくなり、シーク選局操作により確実にＤＡＢ信号をシークして受信できる。
【図面の簡単な説明】
【図１】本発明のＤＡＢ受信機の構成図である。
【図２】周波数受信履歴説明図である。
【図３】本発明のＤＡＢ周波数の検索方法アルゴリズムを示すフロー図である。
【図４】本発明の周波数サーチ起動信号発生の処理フローである。
【図５】高速情報チャネルＦＩＣにおける地域別放送局情報の説明図である。
【図６】ＤＡＢ放送信号のフレーム構造説明図である。
【図７】ＤＡＢ送信機の構成図である。
【図８】従来のＤＡＢ受信機の構成図である。
【図９】従来のシーク選局の処理フローである。
【図１０】従来の選局動作説明図である。
【符号の説明】
１２・・ＤＡＢ用ＲＦ信号復調部
１４・・伝送路復号化回路
１７・・制御部
１９・・受信電界強度検出部
２１・・周波数受信履歴記憶部
２２・・周波数ブロックテーブル
ＳＫ・・シークキー
ＦＬＳＫ・・周波数リストサーチキー
【図１】
0003607465.tif 000002
【図２】
0003607465.tif 000003
【図３】
0003607465.tif 000004
【図４】
0003607465.tif 000005
【図５】
0003607465.tif 000006
【図６】
0003607465.tif 000007
【図７】
0003607465.tif 000008
【図８】
0003607465.tif 000009
【図９】
0003607465.tif 000010
【図１０】
0003607465.tif 000011